(57)【特許請求の範囲】
【請求項１】
インストルメントパネル本体の開口部周縁に該開口部を覆うようにパネル部品が着脱可能に取り付けられたインストルメントパネルのパネル部品取付構造であって、
上記パネル部品裏面の外周縁には、第１係止手段及び第２係止手段が設けられ、
上記インストルメントパネル本体の開口部周縁には、第１被係止手段が上記第１係止手段に対応するように、第２被係止手段が上記第２係止手段に対応するようにそれぞれ設けられ、かつ上記インストルメントパネル本体の開口部近傍側面には、工具挿入孔が上記第２係止手段に対応するように形成され、
パネル部品取付け状態で、上記第１係止手段は上記第１被係止手段に所定のパネル部品の取外し力で離脱可能に係止するとともに、上記第２係止手段は上記所定のパネル部品の取外し力では上記第２被係止手段から離脱できないように上記第２被係止手段に係止又はパネル部品取付け方向に僅かな間隔をあけて対峙しており、かつ上記工具挿入孔は上記パネル部品に隣設された別のパネル部品で覆われ、
上記第２係止手段は、上記別のパネル部品を取り外した状態で上記工具挿入孔から挿入された工具により押圧されて上記第２被係止手段から離脱するように構成されていることを特徴とするインストルメントパネルのパネル部品取付構造。
【請求項２】
請求項１に記載のインストルメントパネルのパネル部品取付構造において、
第２係止手段は、第１係止手段が第１被係止手段からパネル部品取外し方向に離脱した状態で第２被係止手段に係止していることを特徴とするインストルメントパネルのパネル部品取付構造。
【請求項３】
請求項１又は２に記載のインストルメントパネルのパネル部品取付構造において、
第１係止手段及び第２係止手段は、第１係止手段が第２係止手段よりもパネル部品取付け方向手前に位置するように間隔をあけて一体に設けられ、各々共通の被係止手段を第１被係止手段及び第２被係止手段としていることを特徴とするインストルメントパネルのパネル部品取付構造。
【発明の詳細な説明】
【技術分野】
【０００１】
この発明は、インストルメントパネルのパネル部品取付構造の改良に関し、特にインストルメントパネル本体の開口部周縁に取り付けられたパネル部品の脱落防止対策と、パネル部品の取付け作業及び取外し作業を容易に行う対策に関するものである。
【背景技術】
【０００２】
一般に、車両用インストルメントパネルでは、パネル部品をインストルメントパネル本体にファスナの係止により取り付けている。このような取付け方では、車体に衝撃が作用すると、その反動で上記ファスナが離脱してパネル部品がインストルメントパネル本体から脱落するおそれがある。
【０００３】
そこで、特許文献１では、ダミー爪をパネル部品（インパネクラスタ）裏面の外周縁に突設し、パネル部品取付け状態で、上記ダミー爪をインストルメントパネル本体の開口部周縁に形成された係止孔の手前に位置付けて該係止孔に係止させないようにしておき、車体に衝撃が作用した際、その衝撃で上記ダミー爪を係止孔に挿入して先端爪部を係止孔周縁に裏面側から係止させることにより、パネル部品がインストルメントパネル本体から脱落しないようにしている。
【特許文献１】特開平７−１１２６３３号公報（第３，４頁、図１，２）
【発明の開示】
【発明が解決しようとする課題】
【０００４】
しかし、上記の特許文献１では、ダミー爪の爪部が係止孔周縁に一旦係止してしまうと、メンテナンス時にパネル部品をインストルメントパネル本体から取り外そうとしても最早取り外すことができない。
【０００５】
また、衝撃がパネル部品から離れたところに作用すると、ダミー爪の爪部が係止孔周縁に係止しないことがある。同様のことが、ヘッドインパクト等の衝撃がパネル部品のダミー爪から離れた箇所に作用した場合にも起こり得る。つまり、パネル部品の衝撃作用箇所は衝撃で凹むが、パネル部品のダミー爪突設箇所は逆に係止孔から離れる方向に反り返り、ダミー爪の爪部は係止孔に係止しない。
【０００６】
この発明はかかる点に鑑みてなされたものであり、その目的とするところは、パネル部品が衝撃の作用でインストルメントパネル本体から脱落しないようにするとともに、メンテナンス時においてパネル部品をインストルメントパネル本体に容易に取り付けたり取り外したりできるようにすることである。
【課題を解決するための手段】
【０００７】
上記の目的を達成するため、この発明は、係止手段を２種類設け、一方の係止手段は他方の係止手段の取外し力では取外しできず、別途に設けた取外し手段で離脱させるようにしたことを特徴とする。
【０００８】
具体的には、この発明は、インストルメントパネル本体の開口部周縁に該開口部を覆うようにパネル部品が着脱可能に取り付けられたインストルメントパネルのパネル部品取付構造を対象とし、次のような解決手段を講じた。
【０００９】
すなわち、請求項１に記載の発明は、上記パネル部品裏面の外周縁には、第１係止手段及び第２係止手段が設けられ、上記インストルメントパネル本体の開口部周縁には、第１被係止手段が上記第１係止手段に対応するように、第２被係止手段が上記第２係止手段に対応するようにそれぞれ設けられ、かつ上記インストルメントパネル本体の開口部近傍側面には、工具挿入孔が上記第２係止手段に対応するように形成され、パネル部品取付け状態で、上記第１係止手段は上記第１被係止手段に所定のパネル部品の取外し力で離脱可能に係止するとともに、上記第２係止手段は上記所定のパネル部品の取外し力では上記第２被係止手段から離脱できないように上記第２被係止手段に係止又はパネル部品取付け方向に僅かな間隔をあけて対峙しており、かつ上記工具挿入孔は上記パネル部品に隣設された別のパネル部品で覆われ、上記第２係止手段は、上記別のパネル部品を取り外した状態で上記工具挿入孔から挿入された工具により押圧されて上記第２被係止手段から離脱するように構成されていることを特徴とする。
【００１０】
請求項２に記載の発明は、請求項１に記載の発明において、第２係止手段は、第１係止手段が第１被係止手段からパネル部品取外し方向に離脱した状態で第２被係止手段に係止していることを特徴とする。
【００１１】
請求項３に記載の発明は、請求項１又は２に記載の発明において、第１係止手段及び第２係止手段は、第１係止手段が第２係止手段よりもパネル部品取付け方向手前に位置するように間隔をあけて一体に設けられ、各々共通の被係止手段を第１被係止手段及び第２被係止手段としていることを特徴とする。
【発明の効果】
【００１２】
請求項１に係る発明によれば、衝撃の作用により第１係止手段が第１被係止手段から離脱する力が作用しても、第２係止手段は第２被係止手段に係止していて該第２被係止手段から離脱せず、パネル部品をインストルメントパネル本体から脱落しないようにすることができる。また、メンテナンス時にパネル部品をインストルメントパネル本体から取り外す場合には、工具を工具挿入孔に挿入して第２係止手段を押圧し、該第２係止手段を第２被係止手段から離脱させることで、パネル部品をインストルメントパネル本体から容易に取り外すことができる。逆に、パネル部品をインストルメントパネル本体に取り付ける場合には、第１係止手段を第１被係止手段に、第２係止手段を第２被係止手段にそれぞれ対応させた状態で、パネル部品をインストルメントパネル本体に押し付けるだけでよく、取付け作業を容易に行うことができる。
【００１３】
請求項２に係る発明によれば、第２係止手段が第２被係止手段に係止した状態で、第１係止手段が第１被係止手段からパネル部品取外し方向に離脱していて動きに余裕があるので、パネル部品が外力により変形しても第２係止手段に強い力が掛からず、該第２係止手段の損傷を防止することができるとともに、パネル部品の取外し作業をより容易に行うことができる。
【００１４】
請求項３に係る発明によれば、第１係止手段及び第２係止手段を共通の被係止手段に係止させるので、その分だけインストルメントパネルの構造を簡素化できる。
【発明を実施するための最良の形態】
【００１５】
以下、この発明の実施の形態について図面に基づいて説明する。
【００１６】
（実施形態１）
図１乃至図３はこの発明の実施形態１に係るパネル部品取付構造が適用された樹脂製の車両用インストルメントパネル１を示す。このインストルメントパネル１は、その主体をなすインストルメントパネル本体３を備え、インストルメントパネル本体３前面の車幅方向中央部分には、オーディオ機器等の装置類を取り付けるための開口部５が形成され、該開口部５周縁には、該開口部５を覆うようにこの発明の取付け対象であるパネル部品としての略矩形のセンタパネル７が着脱可能に取り付けられている。また、インストルメントパネル本体３前面の車幅方向中央部分を除く領域には、上記センタパネル７に隣設された別のパネル部品としての右側アッパパネル９、左側アッパパネル１１、右側ロアパネル１３及び左側ロアパネル１５が図示しないファスナ等の取付具により着脱可能に取り付けられ、上記右側ロアパネル１３にはグローブボックス１７が組み付けられている。図１は上記の各種パネルをインストルメントパネル本体３に取り付けた状態を、図２は図１の状態からロアパネル１３，１５を取り外した状態を、図３は図２の状態からさらにセンタパネル７を取り外した状態をそれぞれ示す。
【００１７】
上記センタパネル７裏面の外周縁には、図４に示すように、第１係止手段としての第１係止爪１９及び第２係止手段としての第２係止爪２１が突設されている。具体的には、上記第１係止爪１９は、センタパネル７の上縁に３個、下縁に１個、両側縁に３個ずつ計１０個突設されている。上記第２係止爪２１は、センタパネル７の両側縁下端寄りに１個ずつ突設されている。また、センタパネル７の両側縁上端寄りには位置決めピン２３が１個ずつ突設されている。
【００１８】
一方、上記インストルメントパネル本体３の開口部５周縁には、図３に示すように、第１被係止手段としての第１係止孔２５が上記第１係止爪１９に対応するように１０個形成されているとともに、第２被係止手段が設けられる第２係止孔２７が上記第２係止爪２１に対応するように２個形成され、さらに、位置決め孔２９が上記位置決めピン２３に対応するように２個形成されている。なお、センタパネル７上縁の３個の第１係止爪１９に対応する第１係止孔２５は作図上隠れて見えない位置にある。また、上記インストルメントパネル本体３の開口部５近傍側面の下端寄りには、工具挿入孔３１が上記第２係止孔２７に対応するように２個形成されている。さらに、インストルメントパネル本体３の右側ロアパネル１３取付け箇所には、図５及び図６に示すように、凸条部３２が突設され、該凸条部３２には切欠部３２ａが上記工具挿入孔３１に対応して形成されている。
【００１９】
上記第１係止爪１９は、図５乃至図１１に示すように、センタパネル７裏面の外周縁に一体に突設された取付座３３と、樹脂製の第１係止爪部材３５とを組み付けて構成されている。上記取付座３３は、基端側座部３７と、該基端側座部３７から一体に突出する断面略Ｈ字状の先端側座部３９とからなり、該先端側座部３９の先端寄りには取付孔３９ａが形成されている。また、上記先端側座部３９には、センタパネル７取付け状態で上記第１係止孔２５周縁に表側から当接する当接部３９ｂが形成され、該当接部３９ｂから先端部分を第１係止孔２５内周部にがたつかないように接触させている（図５参照）。一方、第１係止爪部材３５は、先端から二股に分岐した一対の係止片部４１と、該係止片部４１の内側に一体に形成された一対の爪部４３とからなり、該爪部４３を上記先端側座部３９の取付孔３９ａに両側から係止させることで、第１係止爪部材３５が取付座３３に組み付けられて第１係止爪１９が構成されている。
【００２０】
上記第２係止爪２１は、センタパネル７裏面の外周縁に一体に突設された取付座４５と、金属製の第２係止爪部材４７とを組み付けて構成されている。上記取付座４５は、基端側座部４９と、該基端側座部４９から一体に突出する断面略Ｈ字状の先端側座部５１とからなり、該先端側座部５１の先端寄りには取付孔５１ａが形成されている。上記先端側座部５１は、センタパネル７取付け状態でセンタパネル７取付け方向中程部分を第２係止孔２７内周部にがたつかないように接触させている（図６参照）。また、上記第２係止爪部材４７は、片側に切り起こされた係止片部５３と、該係止片部５３の内側に切り起こされた爪部５５と、これら係止片部５３及び第１爪部５５と反対側に切り起こされた第２爪部５７とからなり、上記第１爪部５５を上記先端側座部５１の取付孔５１ａに片側から係止させるとともに、上記第２爪部５７を反対側から先端側座部５１の取付孔５１ａ近傍に食い込ませることで、第２係止爪部材４７が取付座４５に組み付けられた第２係止爪２１が構成されている。一方、上記インストルメントパネル本体３の第２係止孔２７周縁の裏側には、上記第２係止爪２１の係止片部５３が係止する被係止面５９ａを有する第２被係止手段としての被係止段部５９が形成されている（図６参照）。
【００２１】
そして、上記センタパネル７をインストルメントパネル本体３に取り付けるには、センタパネル７の位置決めピン２３をインストルメントパネル本体３の位置決め孔２９に挿入してセンタパネル７をインストルメントパネル本体３に位置決めし、これにより、第１係止爪１９を第１係止孔２５に、第２係止爪２１を第２係止孔２７にそれぞれ対応させ、この状態から上記センタパネル７をインストルメントパネル本体３に押し付けるだけでよく、取付け作業を容易に行うことができる。このセンタパネル７取付け状態で、センタパネル７の第１係止爪１９の係止片部４１がインストルメントパネル本体３の第１係止孔２５に挿入され、該第１係止孔２５を第１被係止手段としてその周縁に表側から所定のセンタパネル７の取外し力で離脱可能に係止するようになっている（図５参照）。この状態で、第１係止爪１９の先端側座部３９の当接部３９ｂから先端部分が第１係止孔２５内周部に接触して第１係止爪１９のがたつきを防止している。
【００２２】
また、センタパネル７の第２係止爪２１の係止片部５３がインストルメントパネル本体３の第２係止孔２７に挿入され、該第２係止孔２７周縁の被係止段部５９に上記所定のセンタパネル７の取外し力では該被係止段部５９の被係止面５９ａから離脱できないようにセンタパネル７取付け方向に僅かな間隔をあけて対峙している（図６参照）。この状態で、第２係止爪２１の先端側座部５１のセンタパネル７取付け方向中程部分が第２係止孔２７内周部に接触して第２係止爪２１のがたつきを防止している。なお、第２係止爪２１の係止片部５３を被係止段部５９に当接係止させていてもよい。したがって、上記被係止段部５９が第２被係止手段を構成している。このセンタパネル７取付け状態で、上記第２係止爪２１の係止片部５３がインストルメントパネル本体３の工具挿入孔３１に対応している。この工具挿入孔３１はセンタパネル７に隣設された右側ロアパネル１３及び左側ロアパネル１５で覆われて外部から見えないようになっている。
【００２３】
したがって、衝突事故等により車体に衝撃が作用して第１係止爪１９の係止片部４１が第１係止孔２５からセンタパネル７取外し方向に離脱しても（図９参照）、第２係止爪２１の係止片部５３は第２係止孔２７周縁の被係止段部５９の被係止面５９ａに係止していて上記第２係止孔２７から離脱せず、センタパネル７をインストルメントパネル本体３から脱落しないようにすることができる。
【００２４】
一方、メンテナンス時にセンタパネル７をインストルメントパネル本体３から取り外す場合には、まず、図２に示すように、右側ロアパネル１３及び左側ロアパネル１５を取り外す。次いで、センタパネル７を手前に引っ張り、図９及び図１０の状態にする。つまり、第１係止爪１９の係止片部４１を第１係止孔２５からセンタパネル７取外し方向に離脱させるとともに、第２係止爪２１の係止片部５３を第２係止孔２７周縁の被係止段部５９の被係止面５９ａに係止させる。その後、図１１に示すように、工具としてのドライバ６１を突条部３２の切欠部３２ａを経て工具挿入孔３１に挿入して第２係止爪２１の係止片部５３を押圧し、該係止片部５３を第２係止孔２７の係止段部５９から離脱させ、この状態からセンタパネル７を手前に引っ張ればよく、これにより、センタパネル７をインストルメントパネル本体３から容易に取り外すことができる。
【００２５】
また、センタパネル７取付け状態で、第２係止爪２１の係止片部５３が、図６に示すように、第２係止孔２７周縁の被係止段部５９の被係止面５９ａからセンタパネル７取付け方向に離間しているので、上述の如く第２係止爪２１の係止片部５３が第２係止孔２７周縁の被係止段部５９の被係止面５９ａに係止した状態で、第１係止爪１９の係止片部４１が第１係止孔２５からセンタパネル７取外し方向に離脱していて動きに余裕ができ、センタパネル７が外力により変形しても第２係止爪２１の係止片部５３に強い力が掛からず、該係止片部５３の損傷を防止することができるとともに、センタパネル７の取外し作業をより容易に行うことができる。さらに、製作誤差で第２係止爪２１が第２係止孔５３の被係止段部５９に係止できない事態をなくすことができる。
【００２６】
（実施形態２）
図１２乃至図１５は実施形態２を示す。この実施形態２では、第１係止爪１９及び第２係止爪２１を一体に形成した点と、第１係止爪１９及び第２係止爪２１の被係止手段を共通化した点で実施形態１と相違する。
【００２７】
すなわち、実施形態２では、実施形態１において第２係止孔２７周縁の裏側に形成した被係止段部５９を第１係止爪１９及び第２係止爪２１の共通の被係止手段としている。また、上記第１係止爪１９及び第２係止爪２１は、センタパネル７裏面の外周縁に一体に突設された基端側座部６３と、該基端側座部６３から一体に突出する断面略コ字状の先端側座部６５とからなる取付座６７を共用している。上記先端側座部６５の第２係止爪２１より基端側座部６３側には、センタパネル７取付け状態で上記第２係止孔２７周縁に表側から当接する当接部６５ａが形成され、該当接部６５ａから先端部分を第２係止孔２７内周部にがたつかないように接触させている（図１２参照）。第１係止爪１９はＵ字状のスリット６９により先端側座部６５中程に一体に形成され、第２係止爪２１は先端側座部６５先端に上記第１係止爪１９と同じ側になるように一体に形成されている。つまり、第１係止爪１９が第２係止爪２１よりもセンタパネル７取付け方向手前に位置するように間隔をあけて一体に形成されている。上記第１係止爪１９の係止面は１９ａは、係止孔２７周縁の被係止段部５９の角部に所定のセンタパネル７の取外し力で離脱可能に係止するように傾斜面に形成されて線接触するようになっている（図１２参照）。一方、第２係止爪２１の係止面２１ａは、上記所定のセンタパネル７の取外し力では係止孔２７から離脱できないように被係止段部５９の被係止面５９ａと平行に形成されて面接触するようになっている（図１４参照）。
【００２８】
そして、メンテナンス時にセンタパネル７をインストルメントパネル本体３から取り外す場合には、図１４に示すように、第１係止爪１９を被係止段部５９の被係止面５９ａからセンタパネル７取外し方向に離脱させて第２係止孔２７外側に位置付けた状態で、図１５に示すように、ドライバ６１を突条部３２の切欠部３２ａを経て工具挿入孔３１に挿入し、第２係止爪２１を押圧して係止孔２７の被係止段部５９の被係止面５９ａから離脱させ、この状態からセンタパネル７を手前に引っ張ればよい。
【００２９】
したがって、この実施形態２では、実施形態１と同様の効果に加えて、第１係止爪１９及び第２係止爪２１を共通の被係止段部５９の被係止面５９ａに係止させることで、その分だけインストルメントパネル１の構造を簡素化できる。
【００３０】
なお、実施形態２において、第１係止爪１９と第２係止爪２１とを別体に形成してもよいが、部品点数を低減する観点から実施形態２のような一体物の方が好ましい。
【産業上の利用可能性】
【００３１】
この発明は、インストルメントパネルにパネル部品を取り付ける際に有用である。
【図面の簡単な説明】
【００３２】
【図１】実施形態１に係るパネル部品取付構造が適用されたインストルメントパネルの斜視図である。
【図２】実施形態１に係るパネル部品取付構造が適用されたインストルメントパネルにおいて、図１の状態からロアパネルを取り外した状態の斜視図である。
【図３】実施形態１に係るパネル部品取付構造が適用されたインストルメントパネルにおいて、図２の状態からさらにセンタパネルを取り外した状態の斜視図である。
【図４】実施形態１におけるセンタパネルの正面図である。
【図５】図１のＡ−Ａ線における断面図である。
【図６】図１のＢ−Ｂ線における断面図である。
【図７】実施形態１における第１係止爪の分解斜視図である。
【図８】実施形態１における第２係止爪の分解斜視図である。
【図９】実施形態１において第１係止爪の第１係止爪部材が第１係止孔から離脱した状態の図５相当図である。
【図１０】実施形態１において第２係止爪の第２係止爪部材が第２係止孔周縁の被係止段部に係止した状態の図６相当図である。
【図１１】実施形態１において第２係止爪の第２係止爪部材を第２係止孔周縁の被係止段部から離脱させた状態の図６相当図である。
【図１２】実施形態２における図６相当図である。
【図１３】実施形態２における第１及び第２係止爪の斜視図である。
【図１４】実施形態２における図１０相当図である。
【図１５】実施形態２における図１１相当図である。
【符号の説明】
【００３３】
１    インストルメントパネル
３    インストルメントパネル本体
５    開口部
７    センタパネル（パネル部品）
１３  右側ロアパネル（別のパネル部品）
１５  左側ロアパネル（別のパネル部品）
１９  第１係止爪（第１係止手段）
２１  第２係止爪（第２係止手段）
２５  第１係止孔（第１被係止手段）
３１  工具挿入孔
５９  被係止段部（第２被係止手段）
６１  ドライバ（工具）
【図１】
0004637738.tif 000002
【図２】
0004637738.tif 000003
【図３】
0004637738.tif 000004
【図４】
0004637738.tif 000005
【図５】
0004637738.tif 000006
【図６】
0004637738.tif 000007
【図７】
0004637738.tif 000008
【図８】
0004637738.tif 000009
【図９】
0004637738.tif 000010
【図１０】
0004637738.tif 000011
【図１１】
0004637738.tif 000012
【図１２】
0004637738.tif 000013
【図１３】
0004637738.tif 000014
【図１４】
0004637738.tif 000015
【図１５】
0004637738.tif 000016